(57)【要約】【課題】フレームの変形を抑制できるようにする。【解決手段】締結構造は、フレームを構成する板金が折り曲げられて、前記板金に形成された折曲部と、前記板金に形成され、前記折曲部から一方へ延びる第一面部と、前記板金に形成され、前記折曲部から他方へ延びる第二面部と、前記第一面部における前記折曲部よりも前記一方側の一部が、前記折曲部側へ折り返された折返部と、前記折返部に形成され、被締結部に締結される締結部と、を備える。【選択図】図３
2020027167.tif 000002
【特許請求の範囲】
【請求項１】
フレームを構成する板金が折り曲げられて、前記板金に形成された折曲部と、
前記板金に形成され、前記折曲部から一方へ延びる第一面部と、
前記板金に形成され、前記折曲部から他方へ延びる第二面部と、
前記第一面部における前記折曲部よりも前記一方側の一部が、前記折曲部側へ折り返された折返部と、
前記折返部に形成され、被締結部に締結される締結部と、
を備える締結構造。
【請求項２】
フレームを構成する板金が折り曲げられて、前記板金に形成された折曲部と、
前記板金に形成され、前記折曲部から一方へ延びる第一面部と、
前記板金に形成され、前記折曲部から他方へ延びる第二面部と、
前記第一面部の一部が、前記折曲部を残した状態で前記折曲部側へ折り返された折返部と、
前記折返部に形成され、被締結部に締結される締結部と、
を備える締結構造。
【請求項３】
折返前の前記折返部の周囲に沿って前記第一面部に形成され、前記折曲部に達していない切り込み部
を備える請求項１又は２に記載の締結構造。
【請求項４】
前記折曲部は、前記一方及び前記他方と交差する交差方向へ延び、
前記第一面部と前記折返部の基端部との境界で屈曲された屈曲部が、前記交差方向に沿って延びる請求項１〜３のいずれか１項に記載の締結構造。
【請求項５】
前記折返部が切り出された空間が、前記屈曲部から前記一方へ延びている
請求項４に記載の締結構造。
【請求項６】
前記折曲部は、前記一方及び前記他方と交差する交差方向へ延び、
前記第一面部と前記折返部の基端部との境界で屈曲された屈曲部が、前記交差方向に対する傾斜方向へ延びる
請求項１〜３のいずれか１項に記載の締結構造。
【請求項７】
前記折返部が切り出された空間が、前記屈曲部から前記交差方向へ延びている
請求項６に記載の締結構造。
【請求項８】
前記折返部は、前記第一面部に重ねられている
請求項１〜７のいずれか１項に記載の締結構造。
【請求項９】
前記被締結部が、前記折返部における前記第一面部に重ねられた部分に重ねられている請求項８に記載の締結構造。
【請求項１０】
前記折返部は、先端部が前記折曲部を超えて突出し、
前記締結部は、前記先端部に形成されている
請求項１〜９のいずれか１項に記載の締結構造。
【請求項１１】
前記折返部が折り曲げられて形成され、前記第二面部に沿って配置され、前記締結部が形成された形成部
を備える請求項１〜９のいずれか１項に記載の締結構造。
【請求項１２】
前記折返部における折り曲げ部分は、前記折曲部に接触している
請求項１１に記載の締結構造。
【請求項１３】
第一面部又は第二面部がフレームの底壁とされた請求項１〜１２のいずれか１項に記載の締結構造と、
記録媒体に画像を形成する画像形成部と、
前記画像形成部によって画像が形成される記録媒体を複数収容し、前記底壁に載せられる収容部と、
を備える画像形成装置。
【請求項１４】
前記締結構造は、前記第一面部が底壁とされた請求項８に記載の締結構造であり、
前記収容部は、前記折返部における前記第一面部に重ねられた部分に載せられている請求項１３に記載の画像形成装置。
【請求項１５】
請求項１〜１２のいずれか１項に記載の締結構造と、
前記締結構造の第一面部又は第二面部に沿って配置され、前記締結構造の締結部に締結される前記被締結部としての外装カバーと、
を備える画像形成装置。
【発明の詳細な説明】
【技術分野】
【０００１】
本発明は、締結構造及び画像形成装置に関する。
【背景技術】
【０００２】
特許文献１には、チャンネル形状の複数の骨格体部材とベース部から構成される画像形成装置の構造体において、ベース部の各四隅に立設した骨格体部材およびキャスタを取り付ける取付部材を配置し、前記取付部材を連結するベース部材で前記ベース部を構成し、前記ベース部材にフランジを設け前記取付部材に締結した構造が開示されている。
【先行技術文献】
【特許文献】
【０００３】
【特許文献１】特開２００４−２６４７０５号公報
【発明の概要】
【発明が解決しようとする課題】
【０００４】
ここで、フレームを構成する板金が折り曲げられて板金に折曲部が形成された構成において、板金の一部を切り起こして、ビスが通される締結孔等の締結部を形成する場合では、折曲部を含んで板金の一部を切り起こすと、フレームが変形しやすい場合がある。
【０００５】
本発明は、折曲部を含んで板金の一部を切り起こして締結部を形成する構成に比べ、フレームの変形を抑制できるようにすることを目的とする。
【課題を解決するための手段】
【０００６】
請求項１の発明は、フレームを構成する板金が折り曲げられて、前記板金に形成された折曲部と、前記板金に形成され、前記折曲部から一方へ延びる第一面部と、前記板金に形成され、前記折曲部から他方へ延びる第二面部と、前記第一面部における前記折曲部よりも前記一方側の一部が、前記折曲部側へ折り返された折返部と、前記折返部に形成され、被締結部に締結される締結部と、を備える。
【０００７】
請求項２の発明は、フレームを構成する板金が折り曲げられて、前記板金に形成された折曲部と、前記板金に形成され、前記折曲部から一方へ延びる第一面部と、前記板金に形成され、前記折曲部から他方へ延びる第二面部と、前記第一面部の一部が、前記折曲部を残した状態で前記折曲部側へ折り返された折返部と、前記折返部に形成され、被締結部に締結される締結部と、を備える。
【０００８】
請求項３の発明は、折返前の前記折返部の周囲に沿って前記第一面部に形成され、前記折曲部に達していない切り込み部を備える。
【０００９】
請求項４の発明では、前記折曲部は、前記一方及び前記他方と交差する交差方向へ延び、前記第一面部と前記折返部の基端部との境界で屈曲された屈曲部が、前記交差方向に沿って延びる。
【００１０】
請求項５の発明は、前記折返部が切り出された空間が、前記屈曲部から前記一方へ延びている。
【００１１】
請求項６の発明では、前記折曲部は、前記一方及び前記他方と交差する交差方向へ延び、前記第一面部と前記折返部の基端部との境界で屈曲された屈曲部が、前記交差方向に対する傾斜方向へ延びる。
【００１２】
請求項７の発明は、前記折返部が切り出された空間が、前記屈曲部から前記交差方向へ延びている。
【００１３】
請求項８の発明では、前記折返部は、前記第一面部に重ねられている。
【００１４】
請求項９の発明は、前記被締結部が、前記折返部における前記第一面部に重ねられた部分に重ねられている。
【００１５】
請求項１０の発明では、前記折返部は、先端部が前記折曲部を超えて突出し、前記締結部は、前記先端部に形成されている。
【００１６】
請求項１１の発明は、前記折返部が折り曲げられて形成され、前記第二面部に沿って配置され、前記締結部が形成された形成部を備える。
【００１７】
請求項１２の発明では、前記折返部における折り曲げ部分は、前記折曲部に接触している。
【００１８】
請求項１３の発明は、第一面部又は第二面部がフレームの底壁とされた請求項１〜１２のいずれか１項に記載の締結構造と、記録媒体に画像を形成する画像形成部と、前記画像形成部によって画像が形成される記録媒体を複数収容し、前記底壁に載せられる収容部と、を備える。
【００１９】
請求項１４の発明は、前記締結構造は、前記第一面部が底壁とされた請求項８に記載の締結構造であり、前記収容部は、前記折返部における前記第一面部に重ねられた部分に載せられている請求項１３に記載の画像形成装置。
【００２０】
請求項１５の発明は、請求項１〜１２のいずれか１項に記載の締結構造と、前記締結構造の第一面部又は第二面部に沿って配置され、前記締結構造の締結部に締結される前記被締結部としての外装カバーと、を備える。
【発明の効果】
【００２１】
本発明の請求項１、２の構成によれば、折曲部を含んで板金の一部を切り起こして締結部を形成する構成に比べ、フレームの変形を抑制できる。
【００２２】
本発明の請求項３の構成によれば、切り込み部が折曲部に達している構成に比べ、フレームの変形を抑制できる。
【００２３】
本発明の請求項４の構成によれば、屈曲部が交差方向とは異なる方向に沿って延びる構成に比べ、交差方向に対して直交する方向に締結部から入力される荷重に抗してフレームの変形を抑制できる。
【００２４】
本発明の請求項５の構成によれば、空間が屈曲部から一方と異なる方向へ延びている構成に比べ、第一面部の交差方向の寸法が短くても、折返部の長さを確保できる。
【００２５】
本発明の請求項６の構成によれば、屈曲部が交差方向に沿って延びる構成に比べ、折返部の交差方向に沿った寸法に対する屈曲部の寸法を長くできる。
【００２６】
本発明の請求項７の構成によれば、空間が屈曲部から交差方向と異なる方向へ延びている構成に比べ、第一面部の一方の寸法が短くても、折返部の長さを確保できる。
【００２７】
本発明の請求項８の構成によれば、折返部が第一面部から離間している構成に比べ、折返部の変形を抑制できる。
【００２８】
本発明の請求項９の構成によれば、被締結部が、折返部における第一面部に重ねられた部分以外に重ねられている構成に比べ、被締結部から入力される荷重に抗して、第一面部の変形を抑制できる。
【００２９】
本発明の請求項１０の構成によれば、折返部の先端部が折曲部に対する一方側に配置される構成に比べ、第一面部が締結の邪魔になりにくい。
【００３０】
本発明の請求項１１の構成によれば、折返部が、第一面部と折返部の基端部との境界部分から先端まで平板状に形成されている構成に比べ、折返部の変形を抑制できる。
【００３１】
本発明の請求項１２の構成によれば、折返部における折り曲げ部分が折曲部に対して非接触である構成に比べ、折返部及びフレームの変形を抑制できる。
【００３２】
本発明の請求項１３の構成によれば、本締結構造を有さないフレームの底壁に収容部が載せられる構成に比べ、収容部の荷重に抗して、フレームの変形を抑制できる。
【００３３】
本発明の請求項１４の構成によれば、収容部が、折返部における第一面部に重ねられた部分以外に載せられている構成に比べ、フレームの変形を抑制できる。
【００３４】
本発明の請求項１５の構成によれば、本締結構造を有さない第一面部又は第二面部に沿って外装カバーが配置される構成に比べ、外装カバーから入力される荷重に抗して、フレームの変形を抑制できる。
【図面の簡単な説明】
【００３５】
【図１】本実施形態に係る画像形成装置の構成を示す概略図である。
【図２】本実施形態に係る締結構造を示す斜視図である。
【図３】図２に示される締結構造を拡大して示す斜視図である。
【図４】図２に示される締結構造の側断面図である。
【図５】図２に示される締結構造の正面図である。
【図６】比較例に係る締結構造の斜視図である。
【図７】図６に示される締結構造の側断面図である。
【図８】図７に示される締結構造において上面部が変形する様子を示す側断面図である。
【図９】第一変形例に係る締結構造を示す斜視図である。
【図１０】図９に示される締結構造の側断面図である。
【図１１】図９に示される締結構造の正面図である。
【図１２】第二変形例に係る締結構造を示す斜視図である。
【図１３】図１２に示される締結構造の側断面図である。
【図１４】図１２に示される締結構造の正面図である。
【図１５】図１２に示される締結構造の折返部を形成する過程を示す斜視図である。
【図１６】第三変形例に係る締結構造を示す斜視図である。
【図１７】図１６に示される締結構造の折返部を形成する過程を示す斜視図である。
【発明を実施するための形態】
【００３６】
以下に、本発明に係る実施形態の一例を図面に基づき説明する。
【００３７】
（画像形成装置１０）
まず、画像形成装置１０の構成を説明する。図１は、画像形成装置１０の構成を示す概略図である。
【００３８】
画像形成装置１０は、図１に示されるように、各構成部品が内部に収容される装置本体１１を備えている。装置本体１１の内部には、用紙等の記録媒体Ｐが収容される収容部１２と、記録媒体Ｐに画像を形成する画像形成部１４と、収容部１２から画像形成部１４へ記録媒体Ｐを搬送する搬送部１６と、が設けられている。また、装置本体１１の上部には、画像形成部１４によって画像が形成された記録媒体Ｐが排出される排出部１８が設けられている。
【００３９】
画像形成部１４は、イエロー（Ｙ）、マゼンタ（Ｍ）、シアン（Ｃ）、ブラック（Ｋ）の各色のトナー画像を形成する画像形成ユニット２２Ｙ、２２Ｍ、２２Ｃ、２２Ｋ（以下、２２Ｙ〜２２Ｋと示す）を備えている。また、画像形成部１４は、画像形成ユニット２２Ｙ〜２２Ｋで形成されたトナー画像が転写される中間転写ベルト２４と、各画像形成ユニット２２Ｙ〜２２Ｋで形成されたトナー画像を中間転写ベルト２４に転写する転写部としての一次転写ロール２６と、を有する転写ユニット４０（転写装置）を備えている。さらに、画像形成部１４は、一次転写ロール２６によって中間転写ベルト２４に転写されたトナー画像を中間転写ベルト２４から記録媒体Ｐへ転写する二次転写ロール２８を備えている。
【００４０】
各画像形成ユニット２２Ｙ〜２２Ｋは、一方向（例えば、図１における反時計回り方向）へ回転する感光体３２をそれぞれ有している。なお、各画像形成ユニット２２Ｙ〜２２Ｋは、同様に構成されているので、図１において、画像形成ユニット２２Ｙ、２２Ｍ、２２Ｃにおける各部の符号を省略している。
【００４１】
感光体３２の周囲には、感光体３２の回転方向上流側から順に、感光体３２を帯電させる帯電装置としての帯電ロール２３と、帯電ロール２３によって帯電した感光体３２を露光して感光体３２に静電潜像を形成する露光装置３６と、露光装置３６によって感光体３２に形成された静電潜像を現像してトナー画像を形成する現像装置３８と、が設けられている。
【００４２】
一次転写ロール２６は、中間転写ベルト２４を挟んで感光体３２に対向している。一次転写ロール２６と感光体３２との間が、感光体３２に形成されたトナー画像が中間転写ベルト２４に転写される一次転写位置とされている。一次転写ロール２６は、感光体３２との間に転写電圧が印加されることで、感光体３２に形成されたトナー像を前述の一次転写位置で中間転写ベルト２４に転写する構成とされている。
【００４３】
中間転写ベルト２４は、環状に形成されている。中間転写ベルト２４には、複数の巻掛ロール４２、４３、４４、４５が巻き掛けられている。中間転写ベルト２４は、巻掛ロール４２が、回転駆動されることによって、一次転写ロール２６と感光体３２と接触しながら一方向（例えば、Ａ方向）へ周回（回転）するようになっている。すなわち、巻掛ロール４２が駆動ロールとして機能している。また、巻掛ロール４２は、二次転写ロール２８に対向する対向ロール（バックアップロール）としても機能する。
【００４４】
二次転写ロール２８は、中間転写ベルト２４を挟んで巻掛ロール４２に対向している。二次転写ロール２８と巻掛ロール４２との間が、中間転写ベルト２４に転写されたトナー画像が記録媒体Ｐに転写される二次転写位置とされている。二次転写ロール２８は、巻掛ロール４２（中間転写ベルト２４）との間に転写電圧が印加されることで、中間転写ベルト２４に形成されたトナー像を前述の二次転写位置で記録媒体Ｐに転写する構成とされている。
【００４５】
搬送部１６は、収容部１２に収容された記録媒体Ｐを送り出す送出ロール４６と、送出ロール４６によって送り出された記録媒体Ｐが搬送される搬送路４８と、搬送路４８に沿って配置され送出ロール４６によって送り出された記録媒体Ｐを二次転写位置へ搬送する複数の搬送ロール５０と、を備えている。
【００４６】
二次転写位置の上方側（搬送方向下流側）には、二次転写ロール２８によって記録媒体Ｐに転写されたトナー画像を記録媒体Ｐに定着させる定着装置５８が設けられている。この定着装置５８の上方側（搬送方向下流側）には、トナー画像が定着された記録媒体Ｐを排出部１８へ排出する排出ロール５２が設けられている。
【００４７】
また、片面にトナー画像が定着された記録媒体Ｐを反転させて、再び二次転写位置へ送り戻すための反転搬送路３７が、二次転写ロール２８に対する中間転写ベルト２４とは反対側（図１における左側）に設けられている。記録媒体Ｐの両面に画像を形成する際には、片面にトナー画像が定着された記録媒体Ｐが、排出ロール５２によりスイッチバックされて反転搬送路３７に導かれて、搬送ロール３５で搬送されて二次転写位置へ送り戻されるようになっている。
【００４８】
ここで、図１に示される画像形成装置１０の装置本体１１は、図４に示されるように、フレーム７０と、外装カバー７２と、フレーム７０と外装カバー７２とを締結する締結構造７８と、を有している。フレーム７０は、装置本体１１の骨格を構成する機能を有している。外装カバー７２は、装置本体１１の外面部分を覆うカバーである。
【００４９】
以下、締結構造７８について説明する。なお、下記の説明で用いる前方（前側）、後方（後側）、上方（上側）、下方（下側）、左方（左側）及び右方（右側）は、それぞれ、図中に「前」、「後」、「上」、「下」、「左」、「右」にて示す矢印方向に対応する。これらの方向は、説明の便宜上定めた方向であるから、装置構成がこれらの方向に限定されるものではない。なお、図中の「○」の中に「×」が記載された記号は、紙面の手前から奥へ向かう矢印を意味する。また、図中の「○」の中に「・」が記載された記号は、紙面の奥から手前へ向かう矢印を意味する。
【００５０】
（締結構造７８）
締結構造７８は、図２に示されるように、板金８０と、折曲部８３と、前面部８１と、上面部８２と、折返部８４と、締結孔８６と、を有している。
【００５１】
板金８０は、フレーム７０を構成している。具体的には、板金８０は、装置本体１１の底部としてのフレーム７０を構成している。この板金８０上には、図２に示されるように、収容部１２が載せられている。また、板金８０は、例えば、スチールやアルミニウム等の金属材料で構成されている。
【００５２】
折曲部８３、前面部８１、上面部８２、折返部８４、及び締結孔８６は、図３及び図４に示されるように、板金８０に形成された各部分である。折曲部８３は、板金８０が折り曲げられて板金８０に形成された部分である。すなわち、折曲部８３は、板金８０に形成された稜線部分である。この折曲部８３は、左右方向へ延びている。この左右方向は、下方（一方の一例）及び後方（他方の一例）と交差する交差方向の一例である。
【００５３】
前面部８１は、折曲部８３から下方（一方の一例）へ延びている。この前面部８１は、平面状に形成されている。また、前面部８１は、フレーム７０の側壁（縦壁）を構成している。なお、前面部８１は、第一面部の一例である。
【００５４】
上面部８２は、折曲部８３から後方（他方の一例）へ延びている。すなわち、上面部８２は、折曲部８３から前面部８１が延びる方向に対して交差する方向に延びている。換言すれば、折曲部８３は、前面部８１と上面部８２との間に配置されている境界部分ともいえる。上面部８２は、平面状に形成されている。また、上面部８２は、フレーム７０の底壁を構成している。なお、上面部８２は、第二面部の一例である。
【００５５】
折返部８４は、前面部８１における折曲部８３よりも下方側の一部が、折曲部８３側（上方側）へ折り返されて形成されている。換言すれば、折返部８４は、前面部８１の一部が、折曲部８３を残した状態で折曲部８３側（上方側）へ折り返されて形成されている。
【００５６】
具体的には、折返部８４は以下のように形成される。すなわち、図５に示されるように、まず、折返部８４となる部分（折返前の折返部８４）の周囲に沿って、前面部８１に切り込み部８５が形成される。この切り込み部８５は、上方側が開放されたコの字状（Ｕの字状）に形成されている。また、切り込み部８５は、折曲部８３に達しないように形成される。具体的には、切り込み部８５の先端部は、折曲部８３の下方側の位置に位置している。そして、折返部８４となる部分の上端部（後述の屈曲部８７に相当）を支点に当該部分の下端部を持ち上げて、当該部分の上端部で折り曲げる。これにより、折返部８４が形成される。
【００５７】
前面部８１と折返部８４の基端部８４Ｂとの境界で屈曲された屈曲部８７は、左右方向（交差方向の一例）に沿って延びている。換言すれば、屈曲部８７と折曲部８３とが、同じ方向に沿って延びている。さらに言えば、屈曲部８７と折曲部８３とは平行に伸びている。折返部８４が切り出された空間８９は、屈曲部８７から下方へ延びている。
【００５８】
折返部８４の基端部８４Ｂ（一部）は、図４に示されるように、前面部８１に重ねられている。なお、ここでいう「基端部８４Ｂが前面部８１に重なる状態」とは、基端部８４Ｂの少なくとも一部が前面部８１に面接触した状態をいう。折返部８４の先端部８４Ａ（他の一部）は、折曲部８３を超えて上方へ突出している。すなわち、折返部８４の先端部８４Ａは、折曲部８３及び上面部８２よりも上側に配置されている。
【００５９】
締結孔８６は、折返部８４に形成されている。具体的には、締結孔８６は、折返部８４の先端部８４Ａに形成されている。締結孔８６は、締結部材としてのビス７５が通されて、ビス７５が外装カバー７２に対して締結される。締結孔８６は、ビス７５によって、外装カバー７２に締結される。
【００６０】
外装カバー７２は、前面部８１に沿って配置されている。さらに、外装カバー７２は、折返部８４における前面部８１に重ねられた部分に重ねられている。なお、外装カバー７２は、被締結部の一例である。締結孔８６は、締結部の一例である。
【００６１】
（本実施形態に係る作用）
次に、本実施形態に係る作用を説明する。
【００６２】
本実施形態では、図３及び図４に示されるように、折返部８４は、前面部８１における折曲部８３よりも下方側の一部が、折曲部８３側（上方側）へ折り返されて形成されている。換言すれば、折返部８４は、前面部８１の一部が、折曲部８３を残した状態で折曲部８３側（上方側）へ折り返されて形成されている。
【００６３】
ここで、図６及び図７に示されるように、折曲部８３を含むように上面部８２の一部を切り起こした切り起こし部１４２に締結孔８６を形成する構成（第一構成）では、切り起こし部１４２の左右方向に沿った幅よりも広い空間１４７が折曲部８３に形成される。このため、第一構成では、画像形成装置１０を輸送する際などにおいて、上面部８２に対して上下方向に荷重が作用すると、図８に示されるように、板金８０で構成されるフレーム７０が変形しやすい。特に、上面部８２が変形しやすい。
【００６４】
これに対して、本実施形態では、前述のように、折返部８４は折曲部８３を含んでいないので、第一構成に比べ、フレーム７０の変形が抑制される。
【００６５】
また、本実施形態では、図５に示されるように、折返部８４を形成する際において、前面部８１に形成される切り込み部８５は、折曲部８３に達しないように形成される。ここで、切り込み部８５が折曲部８３に達している構成（第二構成）では、折曲部８３に切り欠きが形成される。このため、第二構成では、画像形成装置１０を輸送する際などにおいて、上面部８２に対して上下方向に荷重が作用すると、板金８０で構成されるフレーム７０が変形しやすい。
【００６６】
これに対して、本実施形態では、前述のように、切り込み部８５が折曲部８３に達していないので、第二構成に比べ、フレーム７０の変形が抑制される。
【００６７】
また、本実施形態では、図３及び図５に示されるように、折曲部８３が、左右方向に沿って延びている。さらに、前面部８１と折返部８４の基端部８４Ｂとの境界で屈曲された屈曲部８７が、左右方向に沿って延びている。すなわち、折曲部８３及び屈曲部８７が平行に左右方向に沿って延びている。
【００６８】
このため、屈曲部８７が左右方向とは異なる方向に沿って延びる構成に比べ、左右方向に対して直交する方向（例えば上下方向）に締結孔８６（外装カバー７２）から入力される荷重に抗してフレーム７０の変形が抑制される。
【００６９】
また、本実施形態では、図３及び図５に示されるように、折返部８４が切り出された空間８９は、屈曲部８７から下方へ延びている。このため、空間８９が屈曲部８７から下方と異なる方向（例えば右方向）へ延びている構成に比べ、前面部８１の左右方向の寸法が短くても、折返部８４の長さが確保される。
【００７０】
また、本実施形態では、図４に示されるように、折返部８４の基端部８４Ｂは、前面部８１に重ねられている。このため、折返部８４が前面部８１で支持され、折返部８４が前面部８１から離間している構成に比べ、折返部８４の変形が抑制される。
【００７１】
さらに、本実施形態では、図４に示されるように、外装カバー７２が折返部８４における前面部８１に重ねられた部分に重ねられている。このため、外装カバー７２が折返部８４における前面部８１に重ねられた部分以外に重ねられている構成に比べ、外装カバー７２から入力される荷重に抗して、前面部８１の変形が抑制される。
【００７２】
また、図３及び図４に示されるように、締結孔８６が形成された折返部８４の先端部８４Ａは、折曲部８３を超えて上方へ突出している。
【００７３】
このため、折返部８４の先端部８４Ａが折曲部８３に対する下方側に配置される構成に比べ、外装カバー７２を締結する際に、前面部８１が締結の邪魔になりにくい。
【００７４】
本実施形態では、図２に示されるように、変形が抑制される上面部８２が底壁を構成し、当該底壁としての上面部８２に収容部１２が載せられる。
【００７５】
このため、本締結構造を有さないフレーム７０の底壁に収容部１２が載せられる構成に比べ、収容部１２の荷重に抗して、フレーム７０の変形が抑制される。
【００７６】
また、本実施形態では、図４に示されるように、変形が抑制される前面部８１に沿って、外装カバー７２が配置される。このため、本締結構造を有さない前面部８１に沿って外装カバーが配置される構成に比べ、外装カバー７２から入力される荷重に抗して、フレーム７０の変形が抑制される。
【００７７】
このように、本実施形態では、フレーム７０の板厚を厚くしたり、補強部材を追加したりしなくても、フレーム７０の変形が抑制されるため、画像形成装置１０の軽量化、小型化、簡素化が図られる。
【００７８】
（第一変形例に係る締結構造１７８）
次に、第一変形例に係る締結構造１７８について、図９、図１０及び図１１を参照して説明する。以下の説明では、締結構造７８と同様の機能を有する部分については、同一符号を付して、適宜、説明を省略する。
【００７９】
締結構造１７８は、折返部８４の形成方法が締結構造７８と異なっている。この点を除いては、締結構造１７８は締結構造７８と同様に構成されている。
【００８０】
図９、図１０及び図１１に示されるように、締結構造１７８における折返部８４は、締結構造７８の場合と同様に、前面部８１における折曲部８３よりも下方側の一部が、折曲部８３側（上方側）へ折り返されて形成されている。換言すれば、折返部８４は、前面部８１の一部が、折曲部８３を残した状態で折曲部８３側（上方側）へ折り返されて形成されている。
【００８１】
締結構造１７８では、具体的には、折返部８４は以下のように形成される。すなわち、まず、図１１に示されるように、折返部８４となる部分（折返前の折返部８４）の周囲に沿って、前面部８１に切り込み部８５が形成される。この切り込み部８５は、左方側が開放されたコの字状（Ｕの字状）に形成されている。また、切り込み部８５の下辺部８５Ｂは、上辺部８５Ａよりも長くされる。また、切り込み部８５は、折曲部８３に達しないように折曲部８３の下側に形成される。そして、折返部８４となる部分の右端部（右斜め下側に傾斜する、前面部８１との境界部分）を支点に当該部分の左端部を斜めに持ち上げて、当該部分の右端部で折り曲げる。これにより、折返部８４が形成される。
【００８２】
前面部８１と折返部８４の基端部８４Ｂとの境界で屈曲された屈曲部８７は、左右方向（交差方向の一例）対して傾斜する傾斜方向に沿って延びている。折返部８４が切り出された空間８９は、屈曲部８７から左方へ延びている。
【００８３】
折返部８４の基端部８４Ｂ（一部）は、前面部８１に重ねられている。折返部８４の先端部８４Ａ（他の一部）は、折曲部８３を超えて上方へ突出している。すなわち、折返部８４の先端部８４Ａは、折曲部８３及び上面部８２よりも上側に配置されている。
【００８４】
（締結構造１７８の作用）
締結構造１７８では、前述の締結構造７８と同様に、折返部８４は折曲部８３を含んでいないので、前述の第一構成に比べ、フレーム７０の変形が抑制される。
【００８５】
締結構造１７８では、前述の締結構造７８と同様に、切り込み部８５が折曲部８３に達していないので、前述の第二構成に比べ、フレーム７０の変形が抑制される。
【００８６】
また、締結構造１７８では、前面部８１と折返部８４の基端部８４Ｂとの境界で屈曲された屈曲部８７は、左右方向（交差方向の一例）対して傾斜する傾斜方向に沿って延びている。このため、屈曲部８７が左右方向に沿って延びる構成に比べ、折返部８４の交差方向に沿った寸法に対する屈曲部８７の寸法が長くなる。
【００８７】
また、締結構造１７８では、折返部８４が切り出された空間８９が、屈曲部８７から左方へ延びている。空間８９が屈曲部８７から左方と異なる方向（例えば下方）へ延びている構成に比べ、前面部８１の上下方向の寸法が短くても、折返部８４の長さが確保される。
【００８８】
（第二変形例に係る締結構造２７８）
次に、第二変形例に係る締結構造２７８について、図１２、図１３、図１４及び図１５を参照して説明する。以下の説明では、締結構造７８と同様の機能を有する部分については、同一符号を付して、適宜、説明を省略する。
【００８９】
締結構造２７８は、折返部８４の形成方法が締結構造７８と異なっている。この点を除いては、締結構造２７８は締結構造７８と同様に構成されている。
【００９０】
図１２、図１３及び図１４に示されるように、締結構造２７８における折返部８４は、上面部８２における折曲部８３よりも後方側（一方側の一例）の一部が、折曲部８３側（前方側）へ折り返されて形成されている。換言すれば、折返部８４は、上面部８２の一部が、折曲部８３を残した状態で折曲部８３側（前方側）へ折り返されて形成されている。
【００９１】
さらに、折返部８４は、上方へ向けて折り曲げられることで、形成部８４Ｅが形成されている。形成部８４Ｅは、前面部８１に沿って配置されており、締結孔８６が形成されている。さらに、折返部８４における、形成部８４Ｅと基端部８４Ｂとの境界で折り曲げられた折り曲げ部分８４Ｇは、折曲部８３に接触している。具体的には、折返部８４の折り曲げ部分８４Ｇは、折曲部８３に乗せられている。そして、形成部８４Ｅは、折曲部８３上で上方へ向かって突出している。また、形成部８４Ｅの前面は、前面部８１の前面に沿った面を形成している。なお、形成部８４Ｅは、折返部８４の先端側の部分であるので、折返部８４の先端部ともいえる。
【００９２】
締結構造２７８では、具体的には、折返部８４は以下のように形成される。すなわち、まず、図１５に示されるように、折返部８４となる部分（折返前の折返部８４）の周囲に沿って、上面部８２に切り込み部８５が形成される。この切り込み部８５は、前方側が開放されたコの字状（Ｕの字状）に形成されている。また、切り込み部８５は、折曲部８３に達しないように形成される。具体的には、切り込み部８５の先端部は、折曲部８３の後方側の位置に位置している。そして、折返部８４となる部分の前端部（屈曲部８７に相当）を支点に当該部分の後端部を前方側へ折り返して、当該部分の前端部で折り曲げる。これにより、折返部８４が形成される。
【００９３】
上面部８２と折返部８４の基端部８４Ｂとの境界で屈曲された屈曲部８７は、左右方向（交差方向の一例）に沿って延びている。換言すれば、屈曲部８７と折曲部８３とが、同じ方向に沿って延びている。さらに言えば、屈曲部８７と折曲部８３とは平行に伸びている。折返部８４が切り出された空間８９は、屈曲部８７から後方へ延びている。
【００９４】
なお、締結構造２７８では、上面部８２が第一面部の一例であり、前面部８１が第二面部の一例である。また、後方が一方の一例であり、下方が他方の一例である。
【００９５】
（締結構造２７８の作用）
締結構造２７８では、前述の締結構造７８と同様に、折返部８４は折曲部８３を含んでいないので、前述の第一構成に比べ、フレーム７０の変形が抑制される。
【００９６】
締結構造２７８では、前述の締結構造７８と同様に、切り込み部８５が折曲部８３に達していないので、前述の第二構成に比べ、フレーム７０の変形が抑制される。
【００９７】
また、締結構造２７８では、図１２及び図１３に示されるように、折曲部８３が、左右方向に沿って延びている。さらに、上面部８２と折返部８４の基端部８４Ｂとの境界で屈曲された屈曲部８７が、左右方向に沿って延びている。すなわち、折曲部８３及び屈曲部８７が平行に左右方向に沿って延びている。
【００９８】
このため、屈曲部８７が左右方向とは異なる方向に沿って延びる構成に比べ、左右方向に対して直交する方向（例えば上下方向）に締結孔８６（外装カバー７２）から入力される荷重に抗してフレーム７０の変形が抑制される。
【００９９】
また、締結構造２７８では、図１２及び図１３に示されるように、折返部８４が切り出された空間８９は、屈曲部８７から後方へ延びている。このため、空間８９が屈曲部８７から後方と異なる方向（例えば右方向）へ延びている構成に比べ、上面部８２の左右方向の寸法が短くても、折返部８４の長さが確保される。
【０１００】
また、締結構造２７８では、折返部８４は、上方へ向けて折り曲げられることで、形成部８４Ｅが形成されている。これにより、形成部８４Ｅと基端部８４Ｆとの間に折り曲げ部分８４Ｇが形成される。このため、折返部８４が、上面部８２と折返部８４の基端部との境界部分（屈曲部８７）から先端まで平板状に形成されている構成に比べ、折返部８４の変形が抑制される。
【０１０１】
また、締結構造２７８では、折返部８４の折り曲げ部分８４Ｇが折曲部８３に接触している。このため、形成部８４Ｅを通じて入力される荷重が折曲部８３で支持されるため、折り曲げ部分８４Ｇが折曲部８３に対して非接触である構成に比べ、折返部８４及びフレーム７０の変形が抑制される。
【０１０２】
（第三変形例に係る締結構造３７８）
次に、第三変形例に係る締結構造３７８について、図１６及び図１７を参照して説明する。以下の説明では、締結構造２７８と同様の機能を有する部分については、同一符号を付して、適宜、説明を省略する。
【０１０３】
締結構造３７８は、折返部８４の形成方法が締結構造２７８と異なっている。この点を除いては、締結構造３７８は締結構造２７８と同様に構成されている。
【０１０４】
図１６に示されるように、締結構造３７８における折返部８４は、締結構造２７８の場合と同様に、上面部８２における折曲部８３よりも後方側（一方側の一例）の一部が、折曲部８３側（前方側）へ折り返されて形成されている。換言すれば、折返部８４は、上面部８２の一部が、折曲部８３を残した状態で折曲部８３側（前方側）へ折り返されて形成されている。
【０１０５】
さらに、折返部８４は、締結構造２７８の場合と同様に、上方へ向けて折り曲げられることで、形成部８４Ｅが形成されている。形成部８４Ｅは、前面部８１に沿って配置されており、締結孔８６が形成されている。さらに、折返部８４における、形成部８４Ｅと基端部８４Ｂとの境界で折り曲げられた折り曲げ部分８４Ｇは、折曲部８３に接触している。具体的には、折返部８４の折り曲げ部分８４Ｇは、折曲部８３に乗せられている。そして、形成部８４Ｅは、折曲部８３上で上方へ向かって突出している。また、形成部８４Ｅの前面は、前面部８１の前面に沿った面を形成している。なお、形成部８４Ｅは、折返部８４の先端側の部分であるので、折返部８４の先端部ともいえる。      
【０１０６】
締結構造３７８では、具体的には、折返部８４は以下のように形成される。すなわち、まず、図１７に示されるように、折返部８４となる部分（折返前の折返部８４）の周囲に沿って、上面部８２に切り込み部８５が形成される。この切り込み部８５は、左方側が開放されたコの字状（Ｕの字状）に形成されている。また、切り込み部８５の後辺部８５Ｆは、前辺部８５Ｅよりも長くされる。また、切り込み部８５は、折曲部８３に達しないように折曲部８３の後方側に形成される。
【０１０７】
そして、折返部８４となる部分の左端部を支点に当該部分の右端部を前方側へ斜めに折り返して、当該部分の左端部で折り曲げる。これにより、折返部８４が形成される。
【０１０８】
上面部８２と折返部８４の基端部８４Ｂとの境界で屈曲された屈曲部８７は、左右方向（交差方向の一例）対して傾斜する傾斜方向に沿って延びている。折返部８４が切り出された空間８９は、屈曲部８７から右方へ延びている。
【０１０９】
（締結構造３７８の作用）
締結構造３７８では、前述の締結構造２７８と同様に、折返部８４は折曲部８３を含んでいないので、前述の第一構成に比べ、フレーム７０の変形が抑制される。
【０１１０】
締結構造３７８では、前述の締結構造２７８と同様に、切り込み部８５が折曲部８３に達していないので、前述の第二構成に比べ、フレーム７０の変形が抑制される。
【０１１１】
また、締結構造３７８では、上面部８２と折返部８４の基端部８４Ｂとの境界で屈曲された屈曲部８７は、左右方向（交差方向の一例）対して傾斜する傾斜方向に沿って延びている。このため、屈曲部８７が左右方向に沿って延びる構成に比べ、折返部８４の交差方向に沿った寸法に対する屈曲部８７の寸法が長くなる。
【０１１２】
また、締結構造３７８では、折返部８４が切り出された空間８９が、屈曲部８７から右方へ延びている。空間８９が屈曲部８７から右方と異なる方向（例えば後方）へ延びている構成に比べ、上面部８２の前後方向の寸法が短くても、折返部８４の長さが確保される。
【０１１３】
（変形例）
本実施形態では、上面部８２がフレーム７０の底壁として、前面部８１がフレーム７０の側壁として構成されていたが、これに限られない。例えば、上面部８２がフレーム７０の上壁して、前面部８１がフレーム７０の側壁として構成されていてもよい。
【０１１４】
また、本実施形態では、切り込み部８５が折曲部８３に達していなかったが、これに限られない。例えば、切り込み部８５が折曲部８３に達している構成であってもよい。なお、この場合でも、屈曲部８７は、折曲部８３に対する一方側（締結構造７８、１７８では下方側、締結構造２７８、３７８では、後方側）に配置される。
【０１１５】
さらに、締結構造７８、１７８では、折返部８４の基端部８４Ｂ（一部）は、前面部８１に重ねられていたが、これに限られない。例えば、折返部８４が前面部８１から離間している構成であってもよい。
【０１１６】
また、締結構造２７８、３７８では、折返部８４の基端部８４Ｆ（一部）は、上面部８２に重ねられていたが、これに限られない。例えば、折返部８４が上面部８２から離間している構成であってもよい。
【０１１７】
さらに、締結構造７８、１７８では、締結孔８６が形成された折返部８４の先端部８４Ａは、折曲部８３を超えて上方へ突出していたが、これに限られない。たとえば、折返部８４の先端部８４Ａが折曲部８３に対する下方側に配置される構成であってもよい。この場合では、折返部８４は、例えば、前面部８１から離間した構成とされる。
【０１１８】
また、本実施形態では、締結構造７８、１７８、２７８、３７８は、画像形成装置１０に備えられていたが、これに限られない。例えば、用紙等を搬送する搬送装置など、フレームを有する装置に適用することが可能である。
【０１１９】
また、本実施形態では、被締結部の一例として、外装カバー７２を用いたが、これに限られない。例えば、被締結部の一例として、内壁や、縦柱などであってもよく、締結対象となる部材であればよい。
【０１２０】
本発明は、上記の実施形態に限るものではなく、その主旨を逸脱しない範囲内において種々の変形、変更、改良が可能である。例えば、上記に示した変形例は、適宜、複数を組み合わせて構成してもよい。
【符号の説明】
【０１２１】
１０   画像形成装置
１２   収容部
１４   画像形成部
７０   フレーム
７２   外装カバー（被締結部の一例）
７８、１７８、２７８、３７８締結構造
８０   板金
８１   前面部（第一面部の一例、第二面部の一例）
８２   上面部（第二面部の一例、第一面部の一例）
８３   折曲部
８４   折返部
８４Ｅ 形成部
８５   切り込み部
８６   締結孔（締結部の一例）
８７   屈曲部
８９   空間
【図１】
2020027167.tif 000003
【図２】
2020027167.tif 000004
【図３】
2020027167.tif 000005
【図４】
2020027167.tif 000006
【図５】
2020027167.tif 000007
【図６】
2020027167.tif 000008
【図７】
2020027167.tif 000009
【図８】
2020027167.tif 000010
【図９】
2020027167.tif 000011
【図１０】
2020027167.tif 000012
【図１１】
2020027167.tif 000013
【図１２】
2020027167.tif 000014
【図１３】
2020027167.tif 000015
【図１４】
2020027167.tif 000016
【図１５】
2020027167.tif 000017
【図１６】
2020027167.tif 000018
【図１７】
2020027167.tif 000019